(57)【要約】【課題】側方に並ぶ棚板の側端同士、あるいは棚板とその側端の側壁板とを、簡単かつ確実に連結する。【解決手段】左右の支柱の前面に係止したブラケットに棚板４を架設し、かつその側方に他の棚板４を配設してなる棚装置において、左右に並ぶ棚板４の近接端部の外面に、側方開口する係合枠９を突設し、かつ左右の棚板４の外面と、互いに隣接する係合枠９との間に亘って、側方向を向く差込片１１を挿入することにより、左右に隣接する棚板４を、面整合させて連結する。【選択図】　　　　図２
2004065510.tif 000002
【特許請求の範囲】
【請求項１】
左右の支柱の前面に係止したブラケットに棚板を架設し、かつその側方に他の棚板を配設してなる棚装置において、左右に並ぶ棚板の近接端部の外面に、側方開口する係合枠を突設し、かつ左右の棚板の外面と、互いに隣接する係合枠との間に亘って、側方向を向く差込片を挿入することにより、左右に隣接する棚板を、面整合させて連結したことを特徴とする棚装置。
【請求項２】
隣接する各棚板が、水平基板と背板を有し、これら両板の外面に、側面視コ形の係合枠を突設するとともに、これら両板の外面と係合枠との間に亘って、側方を向く差込片を挿入したことを特徴とする請求項１記載の棚装置。
【請求項３】
左右の支柱の前面に係止したブラケットに、水平基板を有する棚板を架設してなる棚装置において、左右に並ぶ棚板の近接端部のいずれか一方の外面に、側方開口する側面視コ形の係合枠を突設するとともに、同じく他方の側端に、前記係合枠へ側方から挿入しうる差込片を一体的に設け、この差込片を他の棚板の外面と係合枠との間に挿入することにより、左右に隣接する棚板を、面整合させて連結したことを特徴とする棚装置。
【請求項４】
隣接する各棚板を、水平基板と背板を有し、一方の棚板におけるこれら両板のいずれかの外面に、側面視コ形の係合枠を突設するとともに、他方の棚板における前記両板と隣接する板に、前記係合枠へ側方から挿入しうる差込片を一体的に設けたものとしたことを特徴とする請求項３記載の棚装置。
【請求項５】
棚板と、その側端部に当接させた側壁板の外面に、側方開口する係合枠を突設し、かつ棚板および側壁板の外面と係合枠との間に亘って、側方を向く差込片を挿入することにより、棚板の側方に側壁板を連結したことを特徴とする棚装置。
【請求項６】
棚板および側壁板が、ともに水平基板と背板を有し、これら両板の外面に、側面視コ形の係合枠を突設し、かつ棚板および側壁板の外面と係合枠との間に亘って、側方を向く差込片を挿入したことを特徴とする請求項５記載の棚装置。
【請求項７】
係合枠が、棚板の外面に止着されたものである請求項１〜６のいずれかに記載の棚装置。
【請求項８】
棚板の要所に、互いに平行をなす２本のスリットを設け、両スリットの間の部分を後方へ突出させることにより、係合枠を形成したことを特徴とする請求項１〜６のいずれかに記載の棚装置。
【発明の詳細な説明】
【０００１】
【発明の属する技術分野】
本発明は、側方に並ぶ棚板の側端同士、あるいは棚板とその側端の側壁板とを、簡単かつ確実に連結した棚装置に関する。
【０００２】
【従来の技術】
書籍やＣＤその他の物品を陳列するための棚装置は、通常、左右に並ぶ支柱の前面に列設された係止孔に係止したブラケットに棚板を架設したものをユニットとして形成されている。
【０００３】
しかして、棚面積を増やしたい場合には、上記ユニットが複数並列される。
【０００４】
しかしこの際、隣接する棚板の間に、隙間や段差ができて、見苦しくなるとともに、物品の載置を適切に行なうことができなくなることがある。
【０００５】
【発明が解決しようとする課題】
本発明は、上記した問題点を解決することを目的とし、隣接する棚板を、面整合させて確実に連結しうるようにし、かつ必要に応じて、端部の棚板の外側端に、側壁を、簡単に、かつ体裁よく取付けうるようにした棚装置を提供することを目的とする。
【０００６】
【課題を解決するための手段】
本発明によると、上記課題は、次のようにして解決される。
（１）左右の支柱の前面に係止したブラケットに棚板を架設し、かつその側方に他の棚板を配設してなる棚装置において、左右に並ぶ棚板の近接端部の外面に、側方開口する係合枠を突設し、かつ左右の棚板の外面と、互いに隣接する係合枠との間に亘って、側方向を向く差込片を挿入することにより、左右に隣接する棚板を、面整合させて連結する。
【０００７】
（２）上記（１）項において、隣接する各棚板が、水平基板と背板を有し、これら両板の外面に、側面視コ形の係合枠を突設するとともに、これら両板の外面と係合枠との間に亘って、側方を向く差込片を挿入する。
【０００８】
（３）左右の支柱の前面に係止したブラケットに、水平基板を有する棚板を架設してなる棚装置において、左右に並ぶ棚板の近接端部のいずれか一方の外面に、側方開口する側面視コ形の係合枠を突設するとともに、同じく他方の側端に、前記係合枠へ側方から挿入しうる差込片を一体的に設け、この差込片を他の棚板の外面と係合枠との間に挿入することにより、左右に隣接する棚板を、面整合させて連結する。
【０００９】
（４）上記（３）項において、隣接する各棚板を、水平基板と背板を有し、一方の棚板におけるこれら両板のいずれかの外面に、側面視コ形の係合枠を突設するとともに、他方の棚板における前記両板と隣接する板に、前記係合枠へ側方から挿入しうる差込片を一体的に設ける。
【００１０】
（５）棚板と、その側端部に当接させた側壁板の外面に、側方開口する係合枠を突設し、かつ棚板および側壁板の外面と係合枠との間に亘って、側方を向く差込片を挿入することにより、棚板の側方に側壁板を連結する。
【００１１】
（６）上記（５）項において、棚板および側壁板が、ともに水平基板と背板を有し、これら両板の外面に、側面視コ形の係合枠を突設し、かつ棚板および側壁板の外面と係合枠との間に亘って、側方を向く差込片を挿入する。
【００１２】
（７）上記（１）〜（６）項のいずれかにおいて、係合枠が、棚板の外面に止着されたものである。
【００１３】
（８）上記（１）〜（６）項のいずれかにおいて、棚板の要所に、互いに平行をなす２本のスリットを設け、両スリットの間の部分を後方へ突出させることにより、係合枠を形成する。
【００１４】
【発明の実施の形態】
図１は、本発明の一実施形態を備える棚装置を示し、この棚装置は、左右に並ぶ固定支柱（１）（１）の前面に設けた下部が前傾する前部支柱（２）（２）の前面に列設された係止孔（３）に、図示しない公知のブラケットを係止し、このブラケットを介して棚板（４）を支持してなる２組のユニット棚（５）（５）を、左右に並列して形成されている。
【００１５】
各棚板（４）は、水平基板（６）の後縁より背板（７）を立設してなり、図２、図３に明示するように、各棚板（４）の水平基板（６）と背板（７）の互いに隣接する側端部付近の外面、すなわち水平基板（６）の下面、および背板（７）の後面には、棚板（４）の幅方向と直交する２本のスリット（８）（８）を設け、その間の部分を外方へ向けてコ形段状に屈曲することにより、側方から見てコ字状をなして後方へ突出し、かつ側面が開口する係合枠（９）（９）を形成してある。
【００１６】
左右の棚板（４）（４）を突き合わせ、その水平基板（６）および背板（７）における互いに並ぶ係合枠（９）（９）へ、一側端に指掛片（１０）を設けた差込片（１１）を側方から挿入することにより、左右に並ぶ水平基板（６）（６）と背板（７）（７）は、凹凸や段差なく、面整合して連結される。
【００１７】
棚板（４）は、水平基板（６）のみからなることもあるが、この場合にも、同じ要領で連結することができる。
【００１８】
２本のスリット（８）（８）の間の部分を後方へ突出させて係合枠（９）を形成する代わりに、図４に示すように、側面視コ字状をなす段付片（１２）を水平基板（６）等の外面にスポット溶接等により止着することにより、係合枠（９）を形成することもある。
【００１９】
図１に示すように、左右に並ぶ棚板（４）（４）の外側端には、側壁板（１３）が取付けられている。図５および図６を参照して、その詳細を説明する。
【００２０】
側壁板（１３）は、棚板（４）の水平基板（６）とほぼ同寸の奥行きを有する底片（１４）の側端より側片（１５）を立設し、かつ側片（１５）より、棚板（４）の背板（７）の裏面に重合しうる内向片（１６）を設けたものである。
【００２１】
底片（１４）および内向片（１６）の要所には、それらを、それぞれ棚板（４）の水平基板（６）の下側、および背板（７）の裏面に外側方から重合した際に、水平基板（６）および背板（７）における係合枠（９）へ外側方から嵌入しうる上向き段状係合片（１７）および前向き段状係合片（１８）を切起形成してある。
【００２２】
これにより、側壁
板（１３）は、棚板（４）の外側端に、重合状態で取付けられる。
棚板（４）に対する側壁板（１３）の取付けに際しては、図２ほかで示したような係合枠（９）を側壁板（１３）に形成し、これに差込片（１１）を挿入することにより行ってもよい。この際、側壁板（１３）は、棚板（４）の側端に、突き合わせ状態で取付けられることとなる。
【００２３】
図７は異なる例を示し、棚板（４）の水平基板（６）および背板（７）における係合枠（９）を、板厚の約３倍の深さを有するものとし、図８に示すように、これを、側壁板（１３）における対応する嵌孔（１９）（２０）へ嵌合し、その突板面からの突出部に、差込片（１１）を挿入してある。
【００２４】
【発明の効果】
各請求項に記載の発明の効果は、次の如くである。
請求項１：隣接する棚板の側端同士を、間隙や段差なく、しかも体裁良く連結することができる。
【００２５】
請求項２：水平基板と背板を備え、かつ隣接する棚板の側端同士を、間隙や段差なく、しかも体裁良く連結することができる。
【００２６】
請求項３：差込片は棚板と一体となっているから、妄りに外れ落ちたり、紛失したりすることはない。
【００２７】
請求項４：水平基板と背板を有する棚板を、妄りに外れ落ちたり、紛失したりするおそれのない差込片をもって連結することができる。
【００２８】
請求項５：棚板の側端に、側壁板を、簡単に取付けることができる。
【００２９】
請求項６：水平基板と背板を有する棚板の側端に、同じく水平基板と背板を有する側壁板を、簡単に取付けることができる。
【００３０】
請求項７：係合枠の形成が簡単であり、かつ棚板の表面には、なんらの加工も施されないので、体裁が良い。
【００３１】
請求項８：係合枠の形成が簡単である。
【図面の簡単な説明】
【図１】本発明の一実施形態を備える棚装置の斜視図である。
【図２】要部の拡大分解斜視図である。
【図３】図１におけるＩＩＩ−ＩＩＩ線拡大断面図である。
【図４】係合枠の異なる例を示す縦断面図である。
【図５】棚板の側端と側壁板を示す斜視図である。
【図６】図５に示す棚板を側壁板を組み合せた状態における縦断正面図である。
【図７】本発明の異なる例を示す分解斜視図である。
【図８】図７に示すものを組み合せた状態における縦断正面図である。
【符号の説明】
（１）固定支柱
（２）前部支柱
（３）係止孔
（４）棚板
（５）ユニット棚
（６）水平基板
（７）背板
（８）スリット
（９）係合枠
（１０）指掛片
（１１）差込片
（１２）段付片
（１３）側壁板
（１４）底片
（１５）側片
（１６）内向片
（１７）上向き段状係合片
（１８）前向き段状係合片
（１９）（２０）嵌孔
【図１】
2004065510.tif 000003
【図２】
2004065510.tif 000004
【図３】
2004065510.tif 000005
【図４】
2004065510.tif 000006
【図５】
2004065510.tif 000007
【図６】
2004065510.tif 000008
【図７】
2004065510.tif 000009
【図８】
2004065510.tif 000010